(57)【要約】【課題】冷蔵室への外気流入を防止できる冷蔵庫を提供する。【解決手段】貯蔵物を冷蔵保存する冷蔵室３と、貯蔵物を冷凍保存する冷凍室４と、冷却器１３で生成された冷気が流通するとともに冷凍室４に冷気を吐出する冷凍室吐出口１７ａ、１７ｂを開口する第１冷気ダクト１１と、ダンパ２０を介して第１冷気ダクト１１に連通するとともに冷蔵室３に冷気を吐出する冷蔵室吐出口１５ａを開口する第２冷気ダクト１２とを備え、冷凍室吐出口１７ａ、１７ｂから吐出された冷気が冷凍室４内を流通して第１冷気ダクト１１に戻るとともに冷蔵室吐出口１５ａから吐出された冷気が冷蔵室３内を流通して第１冷気ダクト１１に戻る冷蔵庫１において、ダンパ２０の上流側で冷蔵室３に冷気を吐出する補助吐出口１６を第１冷気ダクト１１に設けた。【選択図】図１
2012013294.tif 000002
【特許請求の範囲】
【請求項１】
貯蔵物を冷蔵保存する冷蔵室と、貯蔵物を冷凍保存する冷凍室と、冷却器で生成された冷気が流通するとともに前記冷凍室に冷気を吐出する冷凍室吐出口を開口する第１冷気ダクトと、ダンパを介して第１冷気ダクトに連通するとともに前記冷蔵室に冷気を吐出する冷蔵室吐出口を開口する第２冷気ダクトとを備え、前記冷凍室吐出口から吐出された冷気が前記冷凍室内を流通して第１冷気ダクトに戻るとともに前記冷蔵室吐出口から吐出された冷気が前記冷蔵室内を流通して第１冷気ダクトに戻る冷蔵庫において、前記ダンパの上流側で前記冷蔵室に冷気を吐出する補助吐出口を第１冷気ダクトに設けたことを特徴とする冷蔵庫。
【請求項２】
前記冷蔵室内に隔離して配されるとともに周囲の前記冷蔵室内よりも低温に維持される隔離室を設け、前記補助吐出口から前記隔離室に冷気を吐出したことを特徴とする請求項１に記載の冷蔵庫。
【請求項３】
前記隔離室が前記冷凍室に隣接することを特徴とする請求項２に記載の冷蔵庫。
【請求項４】
前記冷蔵室吐出口を複数設け、一部の前記冷蔵室吐出口が前記隔離室に臨むことを特徴とする請求項２または請求項３に記載の冷蔵庫。
【請求項５】
前記補助吐出口の開口面積が前記冷凍室吐出口の開口面積よりも小さく、前記冷蔵室吐出口の開口面積よりも小さいことを特徴とする請求項１〜請求項４のいずれかに記載の冷蔵庫。
【発明の詳細な説明】
【技術分野】
【０００１】
本発明は、冷蔵室及び冷凍室を共通の冷却器により冷却する冷蔵庫に関する。
【背景技術】
【０００２】
従来の冷蔵庫は特許文献１に開示されている。この冷蔵庫は本体部を形成する断熱箱体を有している。断熱箱体の上部には貯蔵物を冷蔵保存する冷蔵室が配され、下部には貯蔵物を冷凍保存する冷凍室が配される。冷蔵室と冷凍室とは断熱壁により仕切られ、冷蔵室の前面及び冷凍室の前面は冷蔵室扉及び冷凍室扉によりそれぞれ開閉される。冷蔵室扉及び冷凍室扉の周部には断熱箱体に密接するパッキンが配される。また、冷蔵室の下部には隔離室であるチルド室が設けられる。
【０００３】
冷凍室の背後には冷却器及び送風ファンが配された第１冷気ダクトが設けられる。第１冷気ダクトには冷凍室に冷気を吐出する冷凍室吐出口が開口する。冷蔵室の背後にはダンパを介して第１冷気ダクトに連通する第２冷気ダクトが設けられる。第２冷気ダクトにはチルド室の上方の冷蔵室内及びチルド室にそれぞれ冷気を吐出する冷蔵室吐出口が開口する。また、冷凍室及び冷蔵室から第１冷気ダクトに冷気が戻る冷凍室戻り口及び冷蔵室戻り口がそれぞれ設けられる。
【０００４】
冷凍室が設定温度よりも高温になると、送風ファンの駆動によって第１冷気ダクトには冷却器と熱交換した冷気が流通する。第１冷気ダクトを流通する冷気は冷凍室吐出口から冷凍室に吐出される。冷凍室に吐出された冷気は冷凍室内を流通し、冷凍室戻り口を介して冷却器に戻る。これにより、冷凍室が設定温度に維持される。
【０００５】
冷蔵室が設定温度よりも高温になると、ダンパが開かれる。これにより、第１冷気ダクトから第２冷気ダクトに冷気が流入し、冷蔵室吐出口から冷蔵室のチルド室内及びチルド室の上方に冷気が吐出される。チルド室の上方に吐出された冷気は冷蔵室内を流通し、チルド室に吐出された冷気と合流する。そして、該冷気は冷蔵室戻り口を介して冷却器に戻る。これにより、冷蔵室が設定温度に維持される。また、チルド室はダンパを通過した直後の冷気が吐出されるため、周囲の冷蔵室内よりも低温に維持される。
【先行技術文献】
【特許文献】
【０００６】
【特許文献１】特開平１０−１９４４４号公報（第３頁−第７頁、第２図）
【発明の概要】
【発明が解決しようとする課題】
【０００７】
しかしながら、上記従来の冷蔵庫によると、冷凍室が設定温度よりも高温で冷蔵室が設定温度の範囲の時にダンパを閉じて送風機が駆動される。これにより、冷蔵室内の冷気が冷蔵室戻り口を介して第１冷気ダクトに流入し、冷蔵室内が負圧になる。このため、冷蔵室扉に設けたパッキンが経年劣化していた場合に冷蔵室内に外気が侵入して冷蔵庫の冷却効率が低下する問題があった。
【０００８】
また、冷蔵室の設定温度が低い場合にはダンパを開く時間が長くなるため、チルド室に供給される冷気が多くなる。一方、冷蔵室の設定温度が高い場合にはダンパを開く時間が短くなるため、チルド室に供給される冷気が少なくなる。これにより、チルド室の温度が冷蔵室の設定温度に依存して安定せず、過冷却や冷却不足になる問題があった。
【０００９】
本発明は、冷却効率を向上できる冷蔵庫を提供することを目的とする。また本発明は、冷蔵室内に設けた隔離室の温度を安定させることのできる冷蔵庫を提供することを目的とする。
【課題を解決するための手段】
【００１０】
上記目的を達成するために本発明は、貯蔵物を冷蔵保存する冷蔵室と、貯蔵物を冷凍保存する冷凍室と、冷却器で生成された冷気が流通するとともに前記冷凍室に冷気を吐出する冷凍室吐出口を開口する第１冷気ダクトと、ダンパを介して第１冷気ダクトに連通するとともに前記冷蔵室に冷気を吐出する冷蔵室吐出口を開口する第２冷気ダクトとを備え、前記冷凍室吐出口から吐出された冷気が前記冷凍室内を流通して第１冷気ダクトに戻るとともに前記冷蔵室吐出口から吐出された冷気が前記冷蔵室内を流通して第１冷気ダクトに戻る冷蔵庫において、前記ダンパの上流側で前記冷蔵室に冷気を吐出する補助吐出口を第１冷気ダクトに設けたことを特徴としている。
【００１１】
この構成によると、冷凍室が設定温度よりも高温になるとダンパを閉じた状態で第１冷気ダクトに冷却器で生成された冷気が流通する。第１冷気ダクトを流通する冷気は冷凍室吐出口を介して冷凍室に吐出される。冷凍室に吐出された冷気は冷凍室内を流通して第１冷気ダクトに戻る。この時、一部の冷気が補助吐出口を介して冷蔵室に吐出され、冷蔵室内を流通して第１冷気ダクトに戻る。冷蔵室が設定温度よりも高温になるとダンパが開かれ、冷却器で生成された冷気が第１冷気ダクトから第２冷気ダクトに流入する。第１冷気ダクトを流通する冷気の一部は補助吐出口を介して冷蔵室に吐出され、第２冷気ダクトを流通する冷気は冷蔵室吐出口を介して冷蔵室に吐出される。冷蔵室に吐出された冷気は冷蔵室内を流通して第１冷気ダクトに戻る。
【００１２】
また本発明は、上記構成の冷蔵庫において、前記冷蔵室内に隔離して配されるとともに周囲の前記冷蔵室内よりも低温に維持される隔離室を設け、前記補助吐出口から前記隔離室に冷気を吐出したことを特徴としている。
【００１３】
この構成によると、冷凍室が設定温度よりも高温になるとダンパを閉じた状態で第１冷気ダクトに冷却器で生成された冷気が流通する。第１冷気ダクトを流通する冷気は冷凍室吐出口を介して冷凍室に吐出される。冷凍室に吐出された冷気は冷凍室内を流通して第１冷気ダクトに戻る。この時、一部の冷気が補助吐出口を介して隔離室に吐出される。隔離室に吐出された冷気は隔離室内を流通して流出し、隔離室の周囲の冷蔵室内を流通して第１冷気ダクトに戻る。冷蔵室が設定温度よりも高温になるとダンパが開かれ、冷却器で生成された冷気が第１冷気ダクトから第２冷気ダクトに流入する。第１冷気ダクトを流通する冷気の一部は補助吐出口を介して隔離室に吐出され、第２冷気ダクトを流通する冷気は冷蔵室吐出口を介して隔離室の周囲の冷蔵室内に吐出される。隔離室に吐出された冷気は隔離室内を流通して流出する。冷蔵室吐出口から吐出された冷気は隔離室の周囲の冷蔵室内を流通し、隔離室から流出した冷気と合流して第１冷気ダクトに戻る。
【００１４】
また本発明は、上記構成の冷蔵庫において、前記隔離室が前記冷凍室に隣接することを特徴としている。
【００１５】
また本発明は、上記構成の冷蔵庫において、前記冷蔵室吐出口を複数設け、一部の前記冷蔵室吐出口が前記隔離室に臨むことを特徴としている。この構成によると、ダンパを開いた際に隔離室には補助吐出口から冷気が吐出されるとともに、第２冷気ダクトを流通する冷気の一部が冷蔵室吐出口を介して隔離室に吐出される。隔離室に吐出された冷気は冷蔵室内を流通して第１冷気ダクトに戻る。
【００１６】
また本発明は、上記構成の冷蔵庫において、前記補助吐出口の開口面積が前記冷凍室吐出口の開口面積よりも小さく、前記冷蔵室吐出口の開口面積よりも小さいことを特徴としている。この構成によると、補助吐出口から冷蔵室に吐出される冷気の流量がダンパを閉じた際に冷凍室吐出口から冷凍室に吐出される冷気の流量よりも少なく、ダンパを開いた際に冷蔵室吐出口から冷蔵室に吐出される冷気の流量よりも少ない。これにより、補助吐出口から吐出される冷気による冷蔵室の過冷却が防止される。
【発明の効果】
【００１７】
本発明によると、冷凍室吐出口を開口する第１冷気ダクトと冷蔵室吐出口を開口する第２冷気ダクトとがダンパを介して連通し、ダンパの上流側で冷蔵室に冷気を吐出する補助吐出口を第１冷気ダクトに設けたので、ダンパを閉じた際に冷蔵室内が負圧になることを防止することができる。従って、冷蔵室への外気の流入を防止して冷蔵庫の冷却効率を向上することができる。
【００１８】
また本発明によると、冷蔵室内に隔離して配されるとともに周囲の冷蔵室内よりも低温に維持される隔離室に補助吐出口から冷気を吐出したので、補助吐出口の冷気流量を少なくして隔離室を周囲よりも低温に維持することができる。これにより、冷蔵室の設定温度が低いときにダンパを開く時間が長くなっても隔離室に吐出される冷気を低減して隔離室の過冷却を防止することができる。また、冷蔵室の設定温度が高いときにダンパを開く時間が短くなっても隔離室に冷気を吐出して冷却不足を防止することができる。従って、隔離室の温度を安定させることができる。
【図面の簡単な説明】
【００１９】
【図１】本発明の第１実施形態の冷蔵庫のダンパを閉じた状態を示す側面断面図
【図２】本発明の第１実施形態の冷蔵庫のダンパを開いた状態を示す側面断面図
【図３】本発明の第１実施形態の冷蔵庫の送風ファンの出力とチルド室の温度との関係を示す図
【図４】本発明の第２実施形態の冷蔵庫のダンパを開いた状態を示す側面断面図
【発明を実施するための形態】
【００２０】
以下に本発明の実施形態を図面を参照して説明する。図１は第１実施形態の冷蔵庫を示す側面断面図である。冷蔵庫１は本体部を形成する断熱箱体２を有している。断熱箱体２の上部には貯蔵物を冷蔵保存する冷蔵室３が配され、下部には貯蔵物を冷凍保存する冷凍室４が配される。
【００２１】
冷蔵室３と冷凍室４とは断熱壁６により仕切られ、冷蔵室３の前面及び冷凍室４の前面は冷蔵室扉３ａ及び冷凍室扉４ａによりそれぞれ開閉される。冷凍室４内には複数の収納ケース２１が設けられ、冷凍室扉４ａを開いて収納ケース２１が出し入れされる。冷蔵室扉３ａ及び冷凍室扉４ａの周部には断熱箱体２に密接するパッキン３ｂ、４ｂがそれぞれ配される。また、冷蔵室３の下部には隔離室であるチルド室５が設けられる。後述するように、チルド室５は周囲の冷蔵室３内よりも低温に維持される。
【００２２】
冷凍室４の背後には第１冷気ダクト１１が設けられ、冷蔵室３の背後には第２冷気ダクト１２が設けられる。第１冷気ダクト１１は断熱壁６の後部に開口した開口部６ａを介して断熱壁６よりも上方に延びる。そして、第１、第２冷気ダクト１１、１２は断熱壁６よりも上方に配されたダンパ２０を介して連通する。
【００２３】
第１冷気ダクト１１は前後に仕切られ、後部ダクト１１ａ及び前部ダクト１１ｂを有している。後部ダクト１１ａの下部には冷却器１３が配され、上部には送風ファン１４が配される。冷却器１３は冷凍サイクルを運転する圧縮機（不図示）に接続され、冷凍サイクルの低温部を形成する。前部ダクト１１ｂの前面には冷凍室４に冷気を吐出する冷凍室吐出口１７ａ、１７ｂが開口する。第１冷気ダクト１１の下端には冷凍室４内の冷気を第１冷気ダクト１１に戻す冷凍室戻り口１９が開口する。
【００２４】
また、第１冷気ダクト１１の上部にはダンパ２０の上流側でチルド室５に冷気を吐出する補助吐出口１６が設けられる。第２冷気ダクト１２の上端には冷蔵室３に冷気を吐出する冷蔵室吐出口１５ａが開口する。補助吐出口１６の開口面積は冷凍室吐出口１７ａ、１７ｂの合計の開口面積よりも小さくなっている。また、補助吐出口１６の開口面積は冷蔵室吐出口１５ａの開口面積よりも小さくなっている。
【００２５】
冷蔵室３には冷気が流出する流出ダクト（不図示）が導出される。流出ダクトは第１冷気ダクト１１の下部に設けた冷蔵室戻り口１８に連結される。これにより、冷蔵室３内の冷気は流出ダクトを流通して冷蔵室戻り口１８を介して第１冷気ダクト１１に戻る。
【００２６】
上記構成の冷蔵庫１において、冷凍室４が設定温度よりも高温になると、ダンパ２０を閉じた状態で圧縮機（不図示）及び送風ファン１４が駆動される。これにより、第１冷気ダクト１１には冷却器１３と熱交換した冷気が流通する。第１冷気ダクト１１を流通する冷気は冷凍室吐出口１７ａ、１７ｂから矢印Ｅ１、Ｅ２に示すように冷凍室４に吐出される。冷凍室４に吐出された冷気は冷凍室４内を流通し、矢印Ｅ３に示すように冷凍室戻り口１９を介して第１冷気ダクト１１に戻る。これにより、冷凍室４が設定温度に維持される。
【００２７】
また、第１冷気ダクト１１を流通する冷気の一部は補助吐出口１６から矢印Ｄ１に示すようにチルド室５に吐出される。チルド室５に吐出された冷気は冷蔵室３から流出し、矢印Ｄ３に示すように冷蔵室戻り口１８を介して第１冷気ダクト１１に戻る。補助吐出口１６から冷蔵室３に冷気が供給されるため、ダンパ２０を閉じた状態でも冷蔵室３が負圧になることが防止される。
【００２８】
また、補助吐出口１６からチルド室５に冷気が吐出されるため、チルド室５が周囲の冷蔵室３内よりも低温に維持される。この時、補助吐出口１６の開口面積が冷凍室吐出口１７ａ、１７ｂの合計の開口面積よりも小さいのでチルド室５に吐出される冷気の流量が少ない。従って、チルド室５の過冷却が防止される。
【００２９】
冷蔵室３が設定温度よりも高温になると、図２に示すようにダンパ２０が開かれて圧縮機（不図示）及び送風ファン１４が駆動される。これにより、第１冷気ダクト１１から第２冷気ダクト１２に冷気が流入する。第２冷気ダクト１２を流通する冷気は矢印Ｄ２に示すように冷蔵室吐出口１５ａからチルド室５の上方の冷蔵室３内に吐出される。また、第１冷気ダクト１１を流通する冷気は矢印Ｄ１に示すように補助吐出口１６からチルド室５に吐出される。
【００３０】
冷蔵室吐出口１５ａ及び補助吐出口１６から吐出された冷気は冷蔵室３内を流通して合流する。そして、該冷気は冷蔵室戻り口１８を介して冷却器１３に戻る。これにより、冷蔵室３が設定温度に維持される。
【００３１】
第２冷気ダクト１２に流入する前の冷気が補助吐出口１６からチルド室５に吐出されるため、チルド室５が周囲の冷蔵室３内よりも低温に維持される。チルド室５はダンパ２０を閉じた状態及び開いた状態で補助吐出口１６から冷気が吐出されるため、補助吐出口１６の冷気の流量を少なくしても周囲の冷蔵室３内よりも低温（例えば、０℃）に維持することができる。このため、補助吐出口１６の開口面積が冷蔵室吐出口１５ａの開口面積よりも小さく、ダンパ２０を長時間開かれた場合でもチルド室５の過冷却を防止することができる。
【００３２】
図３は本実施形態の冷蔵庫１の送風ファン１４の出力とチルド室５の温度との関係をシミュレーションした結果を示す図である。縦軸はチルド室５の温度（単位：℃）を示し、横軸は送風ファン１４の最大出力を１として規格化した値（単位なし）を示している。尚、外気温は３０℃、冷凍室４の設定温度は−２０℃としている。
【００３３】
図中、Ａ１、Ａ２は本実施形態の冷蔵室３の設定温度がそれぞれ５℃、１℃の場合である。送風ファン１４の最大出力の時に補助吐出口１６の流量はダンパ２０を開いた状態で０．０５ｍ3／ｈｒであり、ダンパ２０を閉じた状態で０．０７ｍ3／ｈｒである。
【００３４】
図中、Ｂ１、Ｂ２は比較例の冷蔵室３の設定温度がそれぞれ５℃、１℃の場合である。比較例は従来例と同様に、チルド室５に冷気を吐出する吐出口がダンパ２０の下流側に設けられる。この時、送風ファン１４の最大出力の時にダンパ２０を開いた状態で該吐出口の流量は０．１ｍ3／ｈｒである（閉じた状態では流量０）。即ち、補助吐出口１６の冷気流量は比較例のチルド室５の吐出口から吐出される冷気流量の１／２になっている。
【００３５】
同図によると、冷蔵室３の設定温度が５℃の時に、本実施形態（Ａ１）は比較例（Ｂ１）に比してチルド室５に吐出される冷気流量が少ないが、チルド室５が若干低い温度に維持される。従って、ダンパ２０を開く時間が短い状態でもチルド室５の冷却不足を防止することができる。
【００３６】
そして、ダンパ２０を開く時間が長くなる冷蔵室３の設定温度が１℃の時に、本実施形態（Ａ２）は比較例（Ｂ２）に比してチルド室５が高温（最大出力時に約０．８℃）に維持される。従って、ダンパ２０を長時間開いた状態でもチルド室５の過冷却を防止することができる。
【００３７】
また、圧縮機の運転率が高い場合にチルド室５が過冷却となる可能性がある。しかし、、圧縮機の運転率が略１００％となる外気温が４３℃、冷凍室４の設定温度が−２５℃、冷蔵室３の設定温度が−３℃の時に、本実施形態のチルド室５の温度は−１．９５℃となった。従って、チルド室５を準氷温に維持することができ、過冷却を防止することができる。
【００３８】
本実施形態によると、冷凍室吐出口１７ａ、１７ｂを開口する第１冷気ダクト１１と冷蔵室吐出口１５ａを開口する第２冷気ダクト１２とがダンパ２０を介して連通し、ダンパ２０の上流側で冷蔵室３に冷気を吐出する補助吐出口１６を第１冷気ダクト１１に設けたので、ダンパ２０を閉じた際に冷蔵室３内が負圧になることを防止することができる。従って、冷蔵室３への外気の流入を防止して冷蔵庫１の冷却効率を向上することができる。
【００３９】
また、冷蔵室３内に隔離して配されるとともに周囲の冷蔵室３内よりも低温に維持される隔離室であるチルド室５に補助吐出口１６から冷気を吐出したので、補助吐出口１６の流量を少なくしてチルド室５を周囲よりも低温に維持することができる。これにより、冷蔵室３の設定温度が低いときにダンパ２０を開く時間が長くなってもチルド室５に吐出される冷気を低減してチルド室５の過冷却を防止することができる。また、冷蔵室３の設定温度が高いときにダンパ２０を開く時間が短くなってもチルド室５に冷気を吐出して冷却不足を防止することができる。従って、チルド室５の温度を安定させることができる。
【００４０】
また、チルド室５（隔離室）が冷凍室４に隣接するので、チルド室５に臨む補助吐出口１６を第１冷気ダクト１１に容易に形成することができる。
【００４１】
また、補助吐出口１６の開口面積が冷凍室吐出口１７ａ、１７ｂの合計の開口面積よりも小さく、冷蔵室吐出口１５ａの開口面積よりも小さい。このため、補助吐出口１６から冷蔵室３に吐出される冷気の流量は、ダンパ２０を閉じた際に冷凍室吐出口１７ａ、１７ｂから冷凍室４に吐出される冷気の流量よりも少なく、ダンパ２０を開いた際に冷蔵室吐出口１５ａから冷蔵室３に吐出される冷気の流量よりも少ない。これにより、補助吐出口１６から吐出される冷気による冷蔵室３の過冷却を防止することができる。
【００４２】
次に、図４は第２実施形態の冷蔵庫１を示す側面断面図である。説明の便宜上、前述の図１、図２に示す第１実施形態と同一の部分は同一の符号を付している。本実施形態は第２冷気ダクト１２には冷蔵室吐出口１５ａに加えて、冷蔵室吐出口１５ｂが設けられる。その他の部分は第１実施形態と同様である。
【００４３】
第２冷気ダクト１２にはダンパ２０の下流側で冷蔵室３に冷気を吐出する複数の冷蔵室吐出口１５ａ、１５ｂが設けられる。一部の冷蔵室吐出口１５ｂは隔離室であるチルド室５に臨んで開口する。
【００４４】
上記構成の冷蔵庫１において、冷凍室４が設定温度よりも高温になるとダンパ２０を閉じた状態で圧縮機（不図示）及び送風ファン１４が駆動される。これにより、第１実施形態と同様に冷凍室４が設定温度に維持される。
【００４５】
冷蔵室３が設定温度よりも高温になると、ダンパ２０が開かれて圧縮機（不図示）及び送風ファン１４が駆動される。これにより、冷蔵室吐出口１５ａから矢印Ｄ２に示すようにチルド室５の上方の冷蔵室３内に冷気が吐出される。また、冷蔵室吐出口１５ｂ及び補助吐出口１６から矢印Ｄ４、Ｄ１に示すようにチルド室５に冷気が吐出される。冷蔵室３に吐出された冷気は冷蔵室３内を流通して合流し、冷蔵室戻り口１８を介して冷却器１３に戻る。これにより、冷蔵室３が設定温度に維持される。
【００４６】
本実施形態によると、第１実施形態と同様に、冷凍室吐出口１７ａ、１７ｂを開口する第１冷気ダクト１１と冷蔵室吐出口１５ａを開口する第２冷気ダクト１２とがダンパ２０を介して連通し、ダンパ２０の上流側で冷蔵室３に冷気を吐出する補助吐出口１６を第１冷気ダクト１１に設けたので、ダンパ２０を閉じた際に冷蔵室３内が負圧になることを防止することができる。従って、冷蔵室３への外気の流入を防止して冷蔵庫１の冷却効率を向上することができる。
【００４７】
また、冷蔵室３内に隔離して配されるとともに周囲の冷蔵室３内よりも低温に維持される隔離室であるチルド室５に補助吐出口１６から冷気を吐出したので、補助吐出口１６の流量を少なくしてチルド室５を周囲よりも低温に維持することができる。これにより、冷蔵室３の設定温度が低いときにダンパ２０を開く時間が長くなってもチルド室５に吐出される冷気を低減してチルド室５の過冷却を防止することができる。また、冷蔵室３の設定温度が高いときにダンパ２０を開く時間が短くなってもチルド室５に冷気を吐出して冷却不足を防止することができる。従って、チルド室５の温度を安定させることができる。
【００４８】
尚、冷蔵室吐出口１５ｂが設けられるため、補助吐出口１６の開口面積を第１実施形態よりも小さくしてもよい。この時、冷蔵室吐出口１５ｂの開口面積を冷蔵室吐出口１５ａの開口面積よりも小さくするとより望ましい。これにより、チルド室５の過冷却をより確実に防止することができる。
【産業上の利用可能性】
【００４９】
本発明によると、冷蔵室に導かれる冷気の流路を開閉するダンパを備えた冷蔵庫に利用することができる。
【符号の説明】
【００５０】
１    冷蔵庫
２    断熱箱体
３    冷蔵室
３ａ、冷蔵室扉
３ｂ、４ｂ  パッキン
４    冷凍室
４ａ  冷凍室扉
５    チルド室
６    断熱壁
６ａ  開口部
１１    第１冷気ダクト
１２    第２冷気ダクト
１３    冷却器
１４    送風ファン
１５ａ、１５ｂ  冷蔵室吐出口
１６    補助吐出口
１７ａ、１７ｂ  冷凍室吐出口
１８    冷蔵室戻り口
１９    冷凍室戻り口
２０    ダンパ
【図１】
2012013294.tif 000003
【図２】
2012013294.tif 000004
【図３】
2012013294.tif 000005
【図４】
2012013294.tif 000006